(57)【要約】【課題】列車の走行音の識別が困難な環境下においても車輪の偏摩耗度合いの判定を行えるようにする。【解決手段】車輪偏摩耗度合い判定システムが、車両の通過に伴う線路構造物の振動を測定する振動測定部と、前記振動測定部が測定した振動から特定周波数範囲の成分を抽出する周波数範囲成分抽出部と、前記周波数範囲成分抽出部が抽出した成分と基準データとに基づいて前記車両の車輪の偏摩耗度合いの判定を行う偏摩耗度合い判定部と、を具備する。【選択図】図１
2014237348.tif 000002
【特許請求の範囲】
【請求項１】
車両の通過に伴う線路構造物の振動を測定する振動測定部と、
前記振動測定部が測定した振動から特定周波数範囲の成分を抽出する周波数範囲成分抽出部と、
前記周波数範囲成分抽出部が抽出した成分と基準データとに基づいて前記車両の車輪の偏摩耗度合いの判定を行う偏摩耗度合い判定部と、
を具備することを特徴とする車輪偏摩耗度合い判定システム。
【請求項２】
前記周波数範囲成分抽出部は、前記振動測定部が測定した振動から、前記車両の速度に応じて設定された前記特定周波数範囲の成分を抽出することを特徴とする請求項１に記載の車輪偏摩耗度合い判定システム。
【請求項３】
予め設定された空間周波数範囲に前記車両の速度を乗算して得られる前記特定周波数範囲を設定する周波数範囲設定部を具備し、
前記周波数範囲成分抽出部は、前記振動測定部が測定した振動から、前記周波数範囲設定部の設定した前記特定周波数範囲の成分を抽出することを特徴とする請求項１または請求項２に記載の車輪偏摩耗度合い判定システム。
【請求項４】
車輪偏摩耗度合い判定システムの車輪偏摩耗度合い判定方法であって、
車両の通過に伴う線路構造物の振動を測定する振動測定ステップと、
前記振動測定ステップにて測定した振動から特定周波数範囲の成分を抽出する周波数範囲成分抽出ステップと、
前記周波数範囲成分抽出ステップにて抽出した成分と基準データとに基づいて前記車両の車輪の偏摩耗度合いの判定を行う偏摩耗度合い判定ステップと、
を具備することを特徴とする車輪偏摩耗度合い判定方法。
【請求項５】
車輪偏摩耗度合い判定システムの具備するコンピュータに、
車両の通過に伴う線路構造物の振動を測定する振動測定ステップと、
前記振動測定ステップにて測定した振動から特定周波数範囲の成分を抽出する周波数範囲成分抽出ステップと、
前記周波数範囲成分抽出ステップにて抽出した成分と基準データとをに基づいて前記車両の車輪の偏摩耗度合いの判定を行う偏摩耗度合い判定ステップと、
を実行させるためのプログラム。
【発明の詳細な説明】
【技術分野】
【０００１】
本発明は、車輪偏摩耗度合い判定システム、車輪偏摩耗度合い判定方法およびプログラムに関する。
【背景技術】
【０００２】
鉄道車両の車輪に偏摩耗が発生すると、沿線騒音や、振動や、乗り心地への悪影響といった問題が生じ得る。これらの問題の発生を防止するため、偏摩耗発生を検知した場合、車輪削正（車輪を削る処理）が行われる。
ここで、車輪の偏摩耗発生の検知に関して、特許文献１では、鉄道列車における車輪踏面状態の良否を走行音に基づいて判定するシステムが示されている。具体的には、特許文献１に記載の車輪踏面状態の検知システムは、軌道が敷設された高架構造物の直下に設置され列車の走行音を収集する集音装置と、集音装置から出力される音声信号を処理する信号処理手段と、列車の速度を検知する速度検知手段とを備える。そして、信号処理手段において、音声信号から交流波形信号を取り出し、得られた交流波形信号を、速度検知手段から得られた列車速度と構造物特性とに基づいて設定される所定帯域幅のバンドパスフィルタを通過させる。そして、バンドパスフィルタ通過後の抽出波形信号と、列車速度データ及び列車編成に関する列車編成データとを照合させることにより、車軸単位で個別に音圧レベルを測定する。
このように、特許文献１に記載の車輪踏面状態の検知システムでは、車軸単位で個別に音圧レベルを測定して車輪踏面状態の良否を判定することができる。
【先行技術文献】
【特許文献】
【０００３】
【特許文献１】特開２００８−１２０２５８号公報
【発明の概要】
【発明が解決しようとする課題】
【０００４】
上記のように、特許文献１に記載の車輪踏面状態の検知システムでは、列車の走行音に基づいて車輪踏面状態の良否を判定する。周囲の騒音が大きいなど、列車の走行音の識別が困難な環境下においても車輪の偏摩耗度合いの判定を行うことができれば、ユーザの利便性がさらに高まる。
【０００５】
本発明は、このような事情に鑑みてなされたもので、その目的は、列車の走行音の識別が困難な環境下においても車輪の偏摩耗度合いの判定を行うことのできる車輪偏摩耗度合い判定システム、車輪偏摩耗度合い判定方法およびプログラムを提供することにある。
【課題を解決するための手段】
【０００６】
この発明は上述した課題を解決するためになされたもので、本発明の一態様による車輪偏摩耗度合い判定システムは、車両の通過に伴う線路構造物の振動を測定する振動測定部と、前記振動測定部が測定した振動から特定周波数範囲の成分を抽出する周波数範囲成分抽出部と、前記周波数範囲成分抽出部が抽出した成分と基準データとに基づいて前記車両の車輪の偏摩耗度合いの判定を行う偏摩耗度合い判定部と、を具備することを特徴とする。
【０００７】
また、本発明の他の一態様による車輪偏摩耗度合い判定システムは、上述の車輪偏摩耗度合い判定システムであって、前記周波数範囲成分抽出部は、前記振動測定部が測定した振動から、前記車両の速度に応じて設定された前記特定周波数範囲の成分を抽出することを特徴とする。
【０００８】
また、本発明の他の一態様による車輪偏摩耗度合い判定システムは、上述の車輪偏摩耗度合い判定システムであって、予め設定された空間周波数範囲に前記車両の速度を乗算して得られる前記特定周波数範囲を設定する周波数範囲設定部を具備し、前記周波数範囲成分抽出部は、前記振動測定部が測定した振動から、前記周波数範囲設定部の設定した前記特定周波数範囲の成分を抽出することを特徴とする。
【０００９】
また、本発明の一態様による車輪偏摩耗度合い判定方法は、車輪偏摩耗度合い判定システムの車輪偏摩耗度合い判定方法であって、車両の通過に伴う線路構造物の振動を測定する振動測定ステップと、前記振動測定ステップにて測定した振動から特定周波数範囲の成分を抽出する周波数範囲成分抽出ステップと、前記周波数範囲成分抽出ステップにて抽出した成分と基準データとに基づいて前記車両の車輪の偏摩耗度合いの判定を行う偏摩耗度合い判定ステップと、を具備することを特徴とする。
【００１０】
また、本発明の一態様によるプログラムは、車輪偏摩耗度合い判定システムの具備するコンピュータに、車両の通過に伴う線路構造物の振動を測定する振動測定ステップと、前記振動測定ステップにて測定した振動から特定周波数範囲の成分を抽出する周波数範囲成分抽出ステップと、前記周波数範囲成分抽出ステップにて抽出した成分と基準データとをに基づいて前記車両の車輪の偏摩耗度合いの判定を行う偏摩耗度合い判定ステップと、を実行させるためのプログラムである。
【発明の効果】
【００１１】
本発明によれば、列車の走行音の識別が困難な環境下においても車輪の偏摩耗度合いの判定を行うことができる。
【図面の簡単な説明】
【００１２】
【図１】本発明の一実施形態における車輪偏摩耗度合い判定システムの機能構成を示す概略ブロック図である。
【図２】同実施形態における加速度ピックアップの設置例を示す説明図である。
【図３】同実施形態における時間周波数範囲データ記憶部が記憶する時間周波数範囲データの例を示す説明図である。
【図４】同実施形態における速度・通過タイミング判定部の機能構成を示す概略ブロック図である。
【図５】列車の寸法と加速度データにおける周波数との関係の例を示す説明図である。
【図６】同実施形態の速度仮算出部による各車両の速度ピックアップ通過タイミングの検出例を示す説明図である。
【図７】同実施形態の速度・通過タイミング判定部による台車の通過タイミングの検出例を示す説明図である。
【図８】車輪の偏摩耗状態の例を示す説明図である。
【図９】偏摩耗車輪の外周の展開イメージの例を示す説明図である。
【図１０】偏摩耗車輪の外周における凹凸分布の例を示す説明図である。
【図１１】車輪の実測データから得られた外周における凹凸分布の例を示す説明図である。
【図１２】空間周波数と時間周波数との対応関係の例を示す説明図である。
【図１３】車輪の偏摩耗量と発生する振動の関係の例を示す説明図である。
【図１４】同実施形態において、制御部が、車輪の偏摩耗度合いの判定を行う処理手順の例を示すフローチャートである。
【図１５】同実施形態において、速度・通過タイミング判定部が列車速度情報とタイミング情報とを取得する処理手順の例を示すフローチャートである。
【発明を実施するための形態】
【００１３】
以下、図面を参照して、本発明の実施の形態について説明する。
図１は、本発明の一実施形態における車輪偏摩耗度合い判定システムの機能構成を示す概略ブロック図である。同図において、車輪偏摩耗度合い判定システム１００は、振動測定部１１０と、結果出力部１２０と、記憶部１８０と、制御部１９０とを具備する。振動測定部１１０は、加速度ピックアップ１１１を具備する。記憶部１８０は、加速度データ記憶部１８１と、時間周波数範囲データ記憶部１８２と、周波数範囲変換データ記憶部１８３と、基準データ記憶部１８４とを具備する。制御部１９０は、速度・通過タイミング判定部１９１と、周波数範囲設定部１９２と、周波数範囲成分抽出部１９３と、偏摩耗度合い判定部１９４とを具備する。
【００１４】
車輪偏摩耗度合い判定システム１００は、列車の通過に伴う振動加速度（振動による加速度）を測定して加速度の時系列データを収集し、得られたデータに基づいて車輪の偏摩耗度合いを判定する。車輪偏摩耗度合い判定システム１００は、例えば加速度ピックアップを具備するコンピュータシステムとして構築される。
【００１５】
振動測定部１１０は、加速度ピックアップ１１１を用いて、車両の通過に伴う線路構造物の振動を測定する。ここでいう車両は、列車の構成要素であり、複数の車両が連結されて列車を構成する。但し、１両編成の鉄道車両など、列車に限らず様々な車両について、車輪偏摩耗度合い判定システム１００は車輪の偏摩耗度合いの判定を行うことができる。
【００１６】
図２は、加速度ピックアップ１１１の設置例を示す説明図である。同図において、高架Ｍ１１に下り線のレールＭ１２と上り線のレールＭ１３とが敷設されている。高架Ｍ１１は、線路構造物の一例に該当する。
加速度ピックアップ１１１は、下り線のレールＭ１２の下（高架Ｍ１１の裏側）に設置されており、振動測定部１１０は、列車が下り線を通過する際の、加速度ピックアップ１１１設置位置における高架Ｍ１１の加速度（振動加速度）を測定する。
【００１７】
図２の例のように、加速度ピックアップ１１１は、線路構造物の加速度を測定可能な位置にあればよく、線路内に設置される必要はない。この点において、車輪偏摩耗度合い判定システム１００はメンテナンス性がよく、保守作業の負担の増大を抑制することができる。
より具体的には、加速度ピックアップ１１１を線路内に設置する必要がないので、加速度ピックアップ１１１が故障した場合、列車の走行する時間帯であっても加速度ピックアップ１１１の交換を行うことができ、通過タイミングの判定を行うことができる。
【００１８】
また、加速度ピックアップ１１１を線路内に設置する必要がないので、加速度ピックアップ１１１が故障した場合、列車の走行する時間帯であっても加速度ピックアップ１１１の交換を行うことができる。従って、保守作業員が、列車の走行する時間帯を避けて深夜に作業を行う必要がない。
また、保線でレールを削る際、加速度ピックアップ１１１や加速度ピックアップ１１１からのケーブルが邪魔にならない。
【００１９】
なお、加速度ピックアップ１１１の設置対象は、列車通過の際の加速度を測定可能な線路構造物であればよく、高架に限らない。一方、図２の例のように、加速度ピックアップ１１１を高架の裏側に設置する場合、加速度ピックアップ１１１に振動が伝わり易く、通過タイミング判定システム１００は、高精度に判定を行い得る。
【００２０】
結果出力部１２０は、車輪偏摩耗度合い判定システム１００の判定結果を出力する。例えば、結果出力部１２０は、表示装置を具備し、車輪偏摩耗度合い判定システム１００が取得する車輪の偏摩耗量の情報を表示する。あるいは、結果出力部１２０が車輪偏摩耗度合い判定システム１００の判定結果を、監視装置など他の装置へ出力するなど、結果出力部１２０が、判定結果の表示以外の方法で判定結果を出力するようにしてもよい。
【００２１】
記憶部１８０は、各種データを記憶する。記憶部１８０は、例えば、通過タイミング判定システム１００の具備するコンピュータの記憶デバイスにて構成される。
加速度データ記憶部１８１は、振動測定部１１０が測定した加速度の時系列データを記憶する。
時間周波数範囲データ記憶部１８２は、列車速度と時間周波数範囲とが対応付けられた時間周波数範囲データを記憶する。
【００２２】
図３は、時間周波数範囲データ記憶部１８２が記憶する時間周波数範囲データの例を示す説明図である。同図の時間周波数範囲データにおいて、列車速度と、台車検出周波数および車軸検出周波数とが対応付けられている。台車検出周波数は、速度・通過タイミング判定部１９１が台車の通過タイミングを判定する場合に、振動測定部１１０の測定した加速度の時系列データから成分（周波数成分）を抽出すべき周波数範囲を列車速度毎に示す。車軸検出周波数は、速度・通過タイミング判定部１９１が車軸の通過タイミングを判定する場合に、振動測定部１１０の測定した加速度の時系列データから周波数成分を抽出すべき周波数範囲を列車速度毎に示す。
【００２３】
ここで、列車の車輪が、レールにおける加速度ピックアップ１１１の上の位置（以下、単に「加速度ピックアップ１１１の位置」と称する）を通過する時間間隔は、列車速度が速いほど短くなる。このため、列車速度が速いほど、列車の通過に伴う振動の周波数が高くなる。そこで、時間周波数範囲データ記憶部１８２が記憶する時間周波数範囲データでは、列車速度が速いほど高い周波数の周波数範囲と対応付けられている。速度・通過タイミング判定部１９１は、振動測定部１１０の測定した加速度の時系列データから、周波数範囲データに基づいて列車速度に応じた周波数成分を抽出することで、列車速度や台車等の通過タイミングの判定（算出）を、より高精度に判定を行える。
【００２４】
周波数範囲変換データ記憶部１８３は、列車速度と時間周波数範囲との対応関係を示す周波数範囲変換データを記憶する。周波数範囲変換データ記憶部１８３の記憶する周波数範囲変換データは、振動測定部１１０の測定した加速度の時系列データから周波数範囲成分抽出部１９３が周波数成分を抽出する周波数範囲を周波数範囲設定部１９２が設定するのに用いられる。
【００２５】
制御部１９０は、通過タイミング判定システム１００の各部を制御して各種処理を行う。制御部１９０は、例えば、車輪偏摩耗度合い判定システム１００の具備するコンピュータのＣＰＵ（Central Processing Unit、中央処理装置）が、記憶部１８０からプログラムを読み出して実行することで構成される。
速度・通過タイミング判定部１９１は、振動測定部１１０の測定した加速度の時系列データに基づいて、列車速度と、車輪の偏摩耗度合いの判定対象（例えば、各台車または各車軸）が加速度ピックアップ１１１の位置を通過するタイミングとを取得（算出）する。
【００２６】
図４は、速度・通過タイミング判定部１９１の機能構成を示す概略ブロック図である。同図において、速度・通過タイミング判定部１９１は、速度仮算出部２９１と、周波数範囲設定部２９２と、周波数範囲成分抽出部２９３と、速度・通過タイミング判定部２９４とを具備する。
速度仮算出部２９１は、振動測定部１１０の測定した加速度の時系列データから、列車の速度（従って、各車両の速度）を示す仮速度情報を取得する。
【００２７】
ここで、図５および図６を参照して、速度仮算出部２９１による仮速度情報の取得について説明する。
図５は、列車の寸法と加速度データにおける周波数との関係の例を示す説明図である。同図において、列車の寸法として、車体長と、台車中心間距離と、隣接号台車距離と、軸距とが示されている。
【００２８】
車体長は、１台の車両の長さであり、同図の例では２５メートル（ｍ）になっている。台車中心間距離は、同一の車両に設置された２つの台車の中心間の距離であり、同図の例では１７．５メートルになっている。隣接号台車距離は、隣接する車両に設置されて隣接する２つの台車の中心間の距離であり、同図の例では７．５メートルになっている。軸距は、１つの台車に設置された２つの車軸間の距離であり、同図の例では２．５メートルになっている。
【００２９】
列車速度を列車の寸法で除算することで、列車の寸法に応じた周波数が得られる。例えば、列車速度が時速８０キロメートル（≒秒速２２．２メートル）である場合、車体長に応じた周波数は、２２．２／２５≒０．９ヘルツ（Ｈｚ）となる。従って、振動測定部１１０が測定した加速度の時系列データから、周波数０．９ヘルツの成分を抽出することで、各車両が加速度ピックアップ１１１の位置を通過する際に生じる周期的な加速度（振動加速度）を検出することができる。これにより、各車両が加速度ピックアップ１１１の位置を通過するタイミングを検出することができる。
【００３０】
また、列車速度が未知の場合、振動測定部１１０が測定した加速度の時系列データから、各車両が加速度ピックアップ１１１の位置を通過する際に生じる周期的な加速度の成分を抽出することで、列車速度を得られる。
そこで、速度仮算出部２９１は、振動測定部１１０が測定した加速度の時系列データから比較的低周波の周波数成分を抽出する。これにより、速度仮算出部２９１は、各車両が加速度ピックアップ１１１の位置を通過する際に生じる周期的な加速度の成分を抽出し、各車両が加速度ピックアップ１１１の位置を通過する時間間隔から列車速度を算出する。
【００３１】
図６は、速度仮算出部２９１による各車両の速度ピックアップ通過タイミングの検出例を示す説明図である。同図の横軸は基準時刻からの経過時間を示し、縦軸は加速度を示す。基準時刻は、振動測定部１１０の測定前に決定されている時刻であってもよいし、速度仮算出部２９１が事後的に決定する時刻であってもよい。例えば、振動測定部１１０が測定した加速度が所定の大きさに達した時刻から所定時間前（例えば２秒前）の時刻を、速度仮算出部２９１が基準時刻に設定するようにしてもよい。
【００３２】
線Ｌ１１は、振動測定部１１０が測定した加速度の時系列データから速度仮算出部２９１が抽出した周波数成分の合計値を示す。線Ｌ１２は、加速度ピックアップ１１１の位置においてレールにセンサ（例えばひずみゲージ）を設置して得られる、車輪の通過タイミングの測定データを示す。
また、図６の例における列車は８両編成で、各車両に前後１つずつの台車が設けられている。各台車は、前後１つずつの車軸を有している。また、列車の寸法は、図５に示す寸法となっている。
【００３３】
線Ｌ１２における極大点（極大値を示す点）である点Ｐ１２１〜Ｐ１５２は、それぞれ車輪の通過タイミングを示している。具体的には、点Ｐ１２１、Ｐ１２２は、それぞれ、先頭車両の前方の台車の前輪、後輪の通過タイミングを示している。点Ｐ１２３、Ｐ１２４は、それぞれ、先頭車両の後方の台車の前輪、後輪の通過タイミングを示している。
同様に、点Ｐ１２５〜Ｐ１２８は、２両目車両の各車輪の通過タイミングを示している。点Ｐ１２９〜Ｐ１３２は、３両目車両の各車輪の通過タイミングを示している。点Ｐ１４９〜Ｐ１５２は、８両目車両の各車輪の通過タイミングを示している。
【００３４】
速度仮算出部２９１は、振動測定部１１０が測定した加速度の時系列データから、車体長および想定される列車速度の範囲に応じて予め設定されている周波数範囲の周波数成分を抽出する。図３の例の場合、列車速度が時速８０キロメートル〜時速３００キロメートルの範囲では、車体長に応じた周波数は０．９ヘルツ〜３．３ヘルツの範囲となる。例えば、速度仮算出部２９１は、この周波数範囲に多少の余裕を含めた、０．５ヘルツ〜５ヘルツの周波数範囲の周波数成分を抽出し、各成分の振幅（ここでは、加速度の大きさ）を合計して、線Ｌ１１の示すデータを取得する。
【００３５】
線Ｌ１１における極小点（極小値を示す点）のうち所定の閾値Ｈ１１より小さい値を示す点である点Ｐ１１１〜Ｐ１１９が、それぞれ車両の通過タイミングを示している。
具体的には、点Ｐ１１１は、点Ｐ１２１の示す先頭車両の前方の台車の前輪の通過タイミングと、点Ｐ１２２の示す先頭車両の前方の台車の後輪の通過タイミングとの中間のタイミングを示している。
【００３６】
また、点Ｐ１１２は、点Ｐ１２３およびＰ１２４の示す先頭車両の後方の台車の通過タイミングと、点Ｐ１２５およびＰ１２６の示す２台目車両の前方の台車の通過タイミングとの中間のタイミングを示している。さらには、点Ｐ１１２は、先頭車両と２台目車両との境目が加速度ピックアップ１１１の位置を通過するタイミングを示している。
同様に、点Ｐ１１３は、２台目車両と３台目車両との境目が加速度ピックアップ１１１の位置を通過するタイミングを示している。点Ｐ１１４は、３台目車両と４台目車両との境目が加速度ピックアップ１１１の位置を通過するタイミングを示している。点Ｐ１１８は、７台目車両と８台目車両との境目が加速度ピックアップ１１１の位置を通過するタイミングを示している。
また、点Ｐ１１９は、点Ｐ１５１の示す８台目車両の後方の台車の前輪の通過タイミングと、点Ｐ１５２の示す８台目車両の後方の台車の後輪の通過タイミングとの中間のタイミングを示している。
【００３７】
速度仮算出部２９１は、各車両が加速度ピックアップ１１１の位置を通過するタイミングから車両の移動に要する時間を算出し、車両の長さを当該時間で除算して列車速度を算出する。
例えば、点Ｐ１１２から点Ｐ１１３までの時間は、２台目車両が加速度ピックアップ１１１の位置を通過するのに要する時間を示している。同様に、点Ｐ１１３から点Ｐ１１４まで、・・・、点Ｐ１１７から点Ｐ１１８まで、の各時間も、１台の車両が加速度ピックアップ１１１の位置を通過するのに要する時間を示している。
【００３８】
そこで、速度仮算出部２９１は、点Ｐ１１２から点Ｐ１１３まで、点Ｐ１１３から点Ｐ１１４まで、・・・、点Ｐ１１７から点Ｐ１１８までの各時間の平均をとって、１台の車両が加速度ピックアップ１１１の位置を通過するのに要する時間を０．３秒と算出する。そして、速度仮算出部２９１は、予め記憶している車体長（図５の例では２５メートル）を、１台の車両が加速度ピックアップ１１１の位置を通過するのに要する時間（０．３秒）で除算して、列車速度を秒速８３．３メートル（時速３００キロメートル）と算出する。
【００３９】
なお、速度仮算出部２９１が、加速度の時系列データから特定の周波数範囲の周波数成分を抽出する方法は、様々な方法とすることができる。例えば、速度仮算出部２９１が、バンドパスフィルタ（Band Pass Filter；ＢＰＦ）を用いるようにしてもよい。あるいは、速度仮算出部２９１が、フーリエ変換を行うようにしてもよい。
【００４０】
図４に戻って、周波数範囲設定部２９２は、振動測定部１１０が測定した振動から周波数範囲成分抽出部２９３が周波数成分を抽出する周波数範囲を、列車速度と車両の所定箇所の寸法とに応じて設定する。
具体的には、車輪偏摩耗度合い判定システム１００が、台車毎に車輪の偏摩耗度合いの判定を行うように設定されている場合、周波数範囲設定部２９２は、時間周波数範囲データ記憶部１８２の記憶している時間周波数範囲データから、速度仮算出部２９１の算出した列車速度（仮速度情報）に対応付けられている台車検出周波数を読み出す。例えば、上記の例のように速度仮算出部２９１が列車速度を時速３００キロメートルと算出した場合、周波数範囲設定部２９２は、台車検出周波数３〜１２ヘルツを読み出す。
【００４１】
一方、車輪偏摩耗度合い判定システム１００が、車軸毎に車輪の偏摩耗度合いの判定を行うように設定されている場合、周波数範囲設定部２９２は、時間周波数範囲データ記憶部１８２の記憶している時間周波数範囲データから、速度仮算出部２９１の算出した列車速度に対応付けられている車軸検出周波数を読み出す。
【００４２】
なお、車輪偏摩耗度合い判定システム１００が台車、車軸のいずれ毎に車輪の偏摩耗度合いの判定を行うかは、車輪偏摩耗度合い判定システム１００のユーザ（例えば、保守作業員）が設定する。
例えば、車輪に偏摩耗が生じた場合の車輪削正等の保守作業を台車単位で行う保守方針の場合、車輪偏摩耗度合い判定システム１００のユーザは、車輪偏摩耗度合い判定システム１００が台車毎に車輪の偏摩耗度合いの判定を行うように設定する。一方、保守作業を車軸単位で行う保守方針の場合、車輪偏摩耗度合い判定システム１００のユーザは、車輪偏摩耗度合い判定システム１００が車軸毎に車輪の偏摩耗度合いの判定を行うように設定する。
【００４３】
周波数範囲成分抽出部２９３は、振動測定部１１０が測定した振動から、周波数範囲設定部２９２が設定した周波数範囲の周波数成分を抽出する。例えば、周波数範囲成分抽出部２９３は、振動測定部１１０が測定した振動から、車両の走行速度と車両の台車間の間隔とに応じて設定された周波数範囲の周波数成分を抽出する。
【００４４】
さらに例えば、周波数範囲成分抽出部２９３は、同一車両に設けられた台車間の間隔と、隣接する車両に設けられた台車間の間隔とに応じて設定された周波数範囲の周波数成分を抽出する。具体的には、周波数範囲データ記憶部２８２が記憶する周波数範囲データにおいて、台車検出周波数は、車体長、台車中心間距離、隣接号台車距離に起因する各周波数を含んでいる。上述したように、台車中心間距離は、同一の車両に設置された２つの台車の中心間の距離である。また、隣接号台車距離は、隣接する車両に設置されて隣接する２つの台車の中心間の距離である。
【００４５】
例えば、図５において、列車速度が時速３００キロメートルの場合の、車体長、台車中心間距離、隣接号台車距離に起因する周波数は、それぞれ、３．３ヘルツ、４．８ヘルツ、１１．１ヘルツとなっている。そして、図３において、列車速度が時速３００キロメートルの場合の台車検出周波数は、３〜１２ヘルツとなっており、台車検出周波数は、車体長、台車中心間距離、および、隣接号台車距離に起因する各周波数を含んでいる。
【００４６】
このように、周波数範囲成分抽出部２９３が、車体長、台車中心間距離、隣接号台車距離に起因する各周波数を含む周波数範囲の周波数成分を抽出することで、速度・通過タイミング判定部１９１が行う、台車の通過タイミングの判定精度を高めることができる。具体的には、周波数範囲成分抽出部２９３が、当該周波数範囲の周波数成分を抽出することで、他の周波数成分を除外して、台車が加速度ピックアップ１１１の位置を通過する時間間隔以外の周波数成分を低減させることができる。
【００４７】
さらに具体的には、車体長に起因する周波数の成分は、先頭車両の前方の台車が加速度ピックアップ１１１の位置を通過してから、２両目車両の前方の台車が加速度ピックアップ１１１の位置を通過するまでの時間など、隣接する車両において同じ位置に設置されている２つの台車が加速度ピックアップ１１１の位置を通過する時間間隔を示す。また、台車中心間距離に起因する周波数の成分、隣接号台車距離に起因する周波数の成分は、いずれも、隣接する２つの台車が加速度ピックアップ１１１の位置を通過する時間間隔を示す。
周波数範囲成分抽出部２９３が、これらの周波数を含む周波数範囲の周波数成分以外の成分を除外することで、速度・通過タイミング判定部２９４が、台車の通過タイミングを判定する際にノイズとなる周波数成分を低減させることができる。
【００４８】
また、周波数範囲データ記憶部２８２が記憶する周波数範囲データにおいて、車軸検出周波数は、車体長、台車中心間距離、隣接号台車距離、および、軸距に起因する各周波数を含んでいる。
例えば、図５において、列車速度が時速３００キロメートルの場合の、車体長、台車中心間距離、隣接号台車距離、軸距に起因する周波数は、それぞれ、３．３ヘルツ、４．８ヘルツ、１１．１ヘルツ、２．５ヘルツとなっている。そして、図３において、列車速度が時速３００キロメートルの場合の車軸検出周波数は、３〜３４ヘルツとなっており、台車検出周波数は、車体長、台車中心間距離、隣接号台車距離、および、軸距に起因する各周波数を含んでいる。
【００４９】
このように、周波数範囲成分抽出部１９３が、車体長、台車中心間距離、隣接号台車距離、軸距に起因する各周波数を含む周波数範囲の周波数成分を抽出することで、速度・通過タイミング判定部１９１が行う、車軸の通過タイミングの判定精度を高めることができる。
具体的には、速度・通過タイミング判定部１９１が、当該周波数範囲の周波数成分を抽出することで、他の周波数成分を除外して、車軸が加速度ピックアップ１１１の位置を通過する時間間隔以外の成分を低減させることができる。
【００５０】
さらに具体的には、車体長に起因する周波数の成分は、先頭車両の前方の台車の前方の車軸が加速度ピックアップ１１１の位置を通過してから、２両目車両の前方の台車の前方の車軸が加速度ピックアップ１１１の位置を通過するまでの時間など、隣接する車両において同じ位置に設置されている２つの車軸が加速度ピックアップ１１１の位置を通過する時間間隔を示す。
【００５１】
台車中心間距離に起因する周波数の成分は、同一車両の前方の台車の前方の車軸が加速度ピックアップ１１１の位置を通過してから、後方の台車の前方の車軸が加速度ピックアップ１１１の位置を通過するまでの時間など、同一車両の２つの台車において同じ位置に設置されている２つの車軸が加速度ピックアップ１１１の位置を通過する時間間隔を示す。
【００５２】
隣接号台車距離に起因する周波数の成分は、隣接する車両のうち前方車両の後方の台車の前方の車軸が加速度ピックアップ１１１の位置を通過してから、後方車両の前方の台車の前方の車軸が加速度ピックアップ１１１の位置を通過するまでの時間など、隣接する車両に設置された隣接する２つの台車において同じ位置に設置されている２つの車軸が加速度ピックアップ１１１の位置を通過する時間間隔を示す。
【００５３】
また、軸距は、同一の台車において隣接する２つの台車が加速度ピックアップ１１１の位置を通過する時間間隔を示す。
周波数範囲成分抽出部２９３が、これらの周波数を含む周波数範囲の周波数成分以外の成分を除外することで、速度・通過タイミング判定部２９４が、車軸の通過タイミングを判定する際にノイズとなる周波数成分を低減させることができる。
【００５４】
なお、周波数範囲成分抽出部２９３が、加速度の時系列データから特定の周波数範囲の周波数成分を抽出する方法は、様々な方法とすることができる。例えば、周波数範囲成分抽出部２９３が、バンドパスフィルタを用いるようにしてもよい。あるいは、周波数範囲成分抽出部２９３が、フーリエ変換を行うようにしてもよい。
【００５５】
速度・通過タイミング判定部２９４は、周波数範囲成分抽出部２９３が抽出した周波数成分に基づいて、車両の所定箇所が所定位置を通過するタイミングを判定する。
具体的には、速度・通過タイミング判定部２９４は、周波数範囲成分抽出部２９３が抽出した周波数範囲の各成分の振幅（ここでは、加速度の大きさ）を合計する。そして、速度・通過タイミング判定部２９４は、得られた合計値の極小点のうち、所定の閾値よりも小さい値を示す点の時間を、車両の所定箇所が所定位置を通過するタイミングとして取得する。
【００５６】
図７は、速度・通過タイミング判定部２９４による台車の通過タイミングの検出例を示す説明図である。図６の場合と同様、図７の横軸は基準時刻からの経過時間を示し、縦軸は加速度を示す。
線Ｌ２１は、振動測定部１１０が測定した加速度の時系列データから周波数範囲成分抽出部２９３が抽出した周波数成分の合計値を示す。線Ｌ２２は、図６の線Ｌ１２と同様、加速度ピックアップ１１１の位置においてレールにセンサを設置して得られる、車輪の通過タイミングの測定データを示す。
図６の場合と同様、図７の例における列車は８両編成で、各車両に前後１つずつの台車が設けられている。各台車は、前後１つずつの車軸を有している。また、列車の寸法は、図５に示す寸法となっている。
【００５７】
線Ｌ２２における極大点である点Ｐ２３１〜Ｐ２６２は、図５の点Ｐ１２１〜Ｐ１５２と同様、それぞれ車輪の通過タイミングを示している。
また、線Ｌ２１における極小点のうち所定の閾値Ｈ２１より小さい値を示す点である点Ｐ２１１〜Ｐ２２６が、それぞれ台車の通過タイミングを示している。
【００５８】
例えば、点Ｐ２１１は、先頭車両の前方の台車の通過タイミングを示している。ここで、点Ｐ２３１は、先頭車両の前方の台車の前方の車軸の通過タイミングを示し、点Ｐ２３２は、先頭車両の前方の台車の後方の車軸の通過タイミングを示している。そして、点Ｐ２１１は、これらの車軸を含む先頭車両の前方の台車の通過タイミングを示している。
速度・通過タイミング判定部２９４は、点Ｐ２１１〜Ｐ２２６の各時間を、台車の通過タイミングとして取得する。
【００５９】
なお、速度・通過タイミング判定部１９１が車軸の通過タイミングを判定する場合でも、速度・通過タイミング判定部２９４が、まず、台車の通過タイミングを判定し、得られたタイミングから車軸の通過タイミングを求めるようにしてもよい。
この場合、周波数範囲設定部２９２は、速度仮算出部２９１が算出した列車速度に対応する台車検出周波数を設定し、周波数範囲成分抽出部２９３は、振動測定部１１０が測定した振動から、当該台車検出周波数の成分を抽出する。
【００６０】
そして、速度・通過タイミング判定部２９４は、周波数範囲成分抽出部２９３が抽出した周波数成分に基づいて、各台車の通過タイミングを求める。より具体的には、速度・通過タイミング判定部２９４は、各台車の中心が、加速度ピックアップ１１１の位置を通過するタイミングを求める。そして、速度・通過タイミング判定部２９４は、予め記憶している軸距と、速度仮算出部２９１が算出した列車速度とに基づいて、台車の中心の通過タイミングと車軸の通過タイミングとの時間差を求めて、車軸の通過タイミングを算出する。
【００６１】
このように、速度・通過タイミング判定部２９４が、台車の通過タイミングから車軸の通過タイミングを求めることで、振動測定部１１０の測定した振動から周波数範囲成分抽出部２９３が周波数成分を抽出する周波数範囲をより狭くすることができる。この点において、速度・通過タイミング判定部２９４の判定精度を高めることができる。
【００６２】
さらに、速度・通過タイミング判定部２９４は、得られたタイミング情報に基づいて、列車速度を算出する。周波数範囲成分抽出部２９３が仮の列車速度に応じて周波数範囲の周波数成分を抽出していることで、速度・通過タイミング判定部２９４は、速度仮算出部２９１が取得する通過タイミング情報よりも精度の高い通過タイミング情報を取得し得る。従って、速度・通過タイミング判定部２９４が、列車速度を算出し直すことで、速度仮算出部２９１が算出した仮の列車速度よりも精度の高い列車速度を取得し得る。
【００６３】
図１に戻って、周波数範囲設定部１９２は、速度・通過タイミング判定部１９１が取得した列車速度に応じて、振動測定部１１０が測定した加速度の時系列データから周波数範囲成分抽出部１９３が周波数成分を抽出する周波数範囲を設定する。より具体的には、周波数範囲設定部１９２は、予め設定された空間周波数範囲に車両の速度を乗算して得られる特定周波数範囲を設定する。後述するように、周波数範囲設定部１９２は、振動測定部１１０が測定した加速度の時系列データにおいて偏摩耗の影響を受けやすい周波数範囲を設定する。
【００６４】
周波数範囲成分抽出部１９３は、振動測定部１１０が測定した振動（加速度の時系列データ）から特定周波数範囲の周波数成分を抽出する。より具体的には、周波数範囲成分抽出部１９３は、振動測定部１１０が測定した振動から、車両の速度に応じて設定された特定周波数範囲の周波数成分を抽出する。さらに具体的には、周波数範囲成分抽出部１９３は、振動測定部１１０が測定した振動から、周波数範囲設定部１９２の設定した特定周波数範囲の周波数成分を抽出する。
偏摩耗度合い判定部１９４は、周波数範囲成分抽出部１９３が抽出した周波数成分と、基準データ記憶部１８４の記憶する基準データとに基づいて車両の車輪の偏摩耗度合いの判定を行う。
【００６５】
次に、図８〜図１２を参照して、周波数範囲設定部１９２が設定する周波数範囲について説明する。
図８は、車輪の偏摩耗状態の例を示す説明図である。同図において、偏摩耗のない車輪Ｗ１１、偏摩耗の生じた車輪Ｗ１２について、それぞれ軸方向から見た概略形状を、軸の位置を点Ｐ３１に揃えて示している。以下では、偏摩耗の生じた車輪を「偏摩耗車輪」と称する。
【００６６】
偏摩耗の大きさは、例えば、Ｄ１１にて示すように、偏摩耗のない状態における径（ここでは、軸の位置から外周までの距離）と、偏摩耗の生じた箇所における径との差の大きさにて示される。
以下では、基準となる径（例えば、偏摩耗のない状態における径の設計値）と、偏摩耗の生じた箇所における径との差の大きさを「偏摩耗量」と称する。
【００６７】
図９は、偏摩耗車輪の外周の展開イメージの例を示す説明図である。同図において、偏摩耗のない車輪Ｗ１１の外周と、偏摩耗車輪である車輪Ｗ１２の外周とが、径（軸の位置からの距離）の関係を保って展開されている。
偏摩耗のない車輪Ｗ１１は、図８の例のように径がほぼ一定であることから、図９に示す展開例においてほぼ直線状になっている。一方、偏摩耗車輪である車輪Ｗ１２は、図８の例のように径にばらつきがあることから、図９に示す展開例においてうねりを有している。
【００６８】
図１０は、偏摩耗車輪の外周における凹凸分布の例を示す説明図である。同図の横軸は空間周波数の対数を示し、縦軸は凹凸分布をデシベル（ｄＢ）にて示している。
線Ｌ４１は、偏摩耗のない車輪の外周における凹凸の空間周波数分布の例を示す。すなわち、線Ｌ４１は、偏摩耗のない車輪の径と、基準となる径との差の大きさの、周方向における空間的な周波数分布の例を示している。また、線Ｌ４２は、偏摩耗車輪の外周における凹凸の空間周波数分布の例を示す。
【００６９】
本願発明者が、車輪の実測データについて外周における凹凸分布の空間周波数分析を行ったところ、空間周波数０．００１〜０．０１（単位は、ミリメートル分の１（ｍｍ−１））の範囲で特に凹凸分布が増加するとの結果を得られた。なお、本願発明者は、一周約３メートルの車輪について解析を行った。
【００７０】
図１１は、車輪の実測データから得られた外周における凹凸分布の例を示す説明図である。同図の横軸は空間周波数の対数を示し、縦軸は凹凸分布をデシベル（ｄＢ）にて示している。
線Ｌ５１は、偏摩耗量が０．１５ミリメートル未満の車輪の外周における凹凸分布の平均を示す。線Ｌ５２は、偏摩耗量が０．１５ミリメートル以上かつ０．２ミリメートル未満の車輪の外周における凹凸分布の平均を示す。線Ｌ５３は、偏摩耗量が０．２ミリメートル以上かつ０．３ミリメートル未満の車輪の外周における凹凸分布の平均を示す。線Ｌ５４は、偏摩耗量が０．３ミリメートル以上の車輪の外周における凹凸分布の平均を示す。
【００７１】
図１１において、空間周波数０．００１〜０．０１の範囲で、特に、凹凸分布の違いが生じている。一方、空間周波数が０．０１より大きい範囲については、凹凸分布の違いは比較的小さい。
そこで、周波数範囲設定部１９２は、振動測定部１１０の測定した加速度の時系列データから周波数範囲成分抽出部１９３が周波数成分を抽出する周波数範囲として、空間周波数０．００１〜０．０１の範囲に対応する時間周波数範囲の周波数成分を抽出する。なお、本実施形態に示す例では、車輪偏摩耗度合い判定システム１００は、一周約３メートルの車輪を対象として偏摩耗の度合いの判定を行う。
【００７２】
図１２は、空間周波数と時間周波数との対応関係の例を示す説明図である。同図において、空間周波数０．００１、０．０１の各々に対して列車速度を乗算して時間周波数に変換されている。例えば、列車速度が時速３００キロメートル（秒速８３．３×１０３ミリメートル）の場合、空間周波数０．００１に８３．３×１０３を乗算して、時間周波数８３．３ヘルツ（Ｈｚ）に変換されている。
【００７３】
ここで、車輪の外周のうちレールに接する部分は、列車速度にて周方向に進行（回転）していく。車輪の外周が列車速度にて進行しながら凹凸に応じてレールに圧力を加えることで、凹凸の空間周波数分布に列車速度を乗算した時間周波数分布の振動が生じることが考えられる。
【００７４】
そこで、周波数範囲変換データ記憶部１８３は、図１２の例のように、偏摩耗の影響を受けやすい空間周波数範囲に列車速度を乗算した時間周波数範囲を示す周波数範囲変換データを記憶しておく。周波数範囲変換データの示す時間的周波数範囲は、偏摩耗の影響を受けやすい範囲と考えられる。
【００７５】
そして、周波数範囲設定部１９２が、周波数範囲変換データにて速度・通過タイミング判定部１９１の算出した列車速度に対応する時間周波数を設定し、周波数範囲成分抽出部１９３が、振動測定部１１０の測定した加速度の時系列データのうち、周波数範囲設定部１９２の設定した時間周波数範囲の周波数成分を抽出する。これにより、周波数範囲成分抽出部１９３は、加速度の時系列データのうち、偏摩耗の影響を受けやすい周波数成分を抽出し、偏摩耗の影響を受けにくく偏摩耗度合い判定部１９４の判定においてノイズとなるおそれの大きい周波数成分を削除する。これにより、偏摩耗度合い判定部１９４の判定精度を高めることができる。
【００７６】
次に、図１３を参照して、偏摩耗度合い判定部１９４が行う車輪の偏摩耗度合いの判定について説明する。
図１３は、車輪の偏摩耗量と発生する振動の関係の例を示す説明図である。同図の横軸は偏摩耗量を対数にて示し、縦軸は、振動加速度レベルをデシベルにて示す。また、同図にプロットされた各点は、車輪の偏摩耗量と振動加速度レベルとの関係の実測データを示している。
【００７７】
ここでは、列車速度が時速８０キロメートルである場合について、振動加速度のうち２９．４ヘルツから２１５．３ヘルツの周波数範囲の周波数成分の合計を、振動加速度レベルとしている。ここでの周波数範囲は、図１２に示す周波数範囲と多少異なるが、ほぼ等しい周波数範囲となっている。
図１３に示すように、偏摩耗量と振動加速度レベルとの間に相関関係があることが確認できた。より具体的には、同図における偏摩耗量と振動加速度レベルとの関係は、線Ｌ６１にて近似することができ、おおよそ領域Ａ６１の範囲に含まれる。
【００７８】
例えば、基準データ記憶部１８４が、線Ｌ６１の関係を基準データとして記憶しておく。偏摩耗度合い判定部１９４は、周波数範囲成分抽出部１９３が抽出した周波数成分の振幅の合計を、基準データ記憶部１８４の記憶する関係に適用することで、車輪の偏摩耗度合いの判定として偏摩耗量を判定することができる。
【００７９】
あるいは、偏摩耗度合い判定部１９４が、車輪の偏摩耗度合いの判定として車輪削正を推奨するか否かの判定を行うようにしてもよい。例えば、基準データ記憶部１８４が、振動加速度レベルの閾値を基準データとして記憶しておく。そして、偏摩耗度合い判定部１９４は、周波数範囲成分抽出部１９３が抽出した周波数成分の振幅の合計を、基準データ記憶部１８４の記憶する閾値と比較し、閾値以上である場合に、車輪削正を推奨すると判定する。
【００８０】
次に、図１４および図１５を参照して、車輪偏摩耗度合い判定システム１００の動作について説明する。
図１４は、制御部１９０が、車輪の偏摩耗度合いの判定を行う処理手順の例を示すフローチャートである。
【００８１】
なお、制御部１９０は列車毎に同図の処理を行えばよく、制御部１９０が処理を行うタイミングは様々なタイミングとすることができる。例えば、列車が加速度ピックアップ１１１の位置を通過する毎に、制御部１９０が図１４の処理を行うようにしてもよい。あるいは、振動測定部１１０が測定した一日分のデータを、制御部１９０が纏めて加速度データ記憶部１８１から読み出し、列車毎のデータを切り出して図１４の処理を行うようにしてもよい。
【００８２】
図１４の処理において、制御部１９０（速度・通過タイミング判定部１９１および周波数範囲成分抽出部１９３）は、まず、振動測定部１１０の測定した加速度の時系列データを、加速度データ記憶部１８１から読み出す（ステップＳ１０１）。
次に、速度・通過タイミング判定部１９１は、ステップＳ１０１で得られた加速度の時系列データに基づいて、列車速度情報と、当該時系列データにおいて列車の所定箇所（例えば、各台車の中心または各車軸）が加速度ピックアップ１１１の位置を通過するタイミング情報とを取得（算出）する（ステップＳ１０２）。
【００８３】
そして、周波数範囲設定部１９２が、速度・通過タイミング判定部１９１の取得した列車速度に基づいて周波数範囲を設定する（ステップＳ１０３）。具体的には、周波数範囲設定部１９２は、周波数範囲変換データ記憶部１８３の記憶する周波数範囲変換データから、列車速度に応じた時間周波数範囲を読み出して、周波数範囲成分抽出部１９３が周波数成分を抽出する周波数範囲として設定する
【００８４】
次に、周波数範囲成分抽出部１９３は、ステップＳ１０１で得られた加速度の時系列データから、偏摩耗度合いの判定対象毎の時間分のデータを抽出する（ステップＳ１０４）。例えば、偏摩耗度合い判定部１９４が、台車毎に偏摩耗度合いの判定を行う場合、周波数範囲成分抽出部１９３は、ステップＳ１０２で速度・通過タイミング判定部１９１が取得したタイミング情報にから台車毎のデータを抽出する。さらに例えば、偏摩耗度合い判定部１９４は、加速度の時系列データから、台車が加速度ピックアップ１１１の位置を通過するタイミングを中心として所定時間分のデータを抽出する。
【００８５】
そして、周波数範囲成分抽出部１９３は、ステップＳ１０４で得られたデータ毎に、ステップＳ１０３で周波数範囲設定部１９２が設定した周波数範囲の周波数成分を抽出する（ステップＳ１０５）。例えば、周波数範囲成分抽出部１９３は、ステップＳ１０４で得られたデータをフーリエ変換して、周波数範囲設定部１９２が設定した周波数範囲の周波数成分を抽出する。あるいは、周波数範囲成分抽出部１９３は、ステップＳ１０４で得られたデータにゼロ位相のバンドパスフィルタを適用するなど、フーリエ変換以外の方法で、周波数範囲設定部１９２が設定した周波数範囲の周波数成分を抽出するようにしてもよい。
【００８６】
次に、偏摩耗度合い判定部１９４は、ステップＳ１０５で周波数範囲成分抽出部１９３が取得したデータに基づいて、車輪の偏摩耗度合いの判定を行う（ステップＳ１０６）。具体的には、偏摩耗度合い判定部１９４は、ステップＳ１０４で得られたデータ毎に、ステップＳ１０５で周波数範囲成分抽出部１９３が抽出した周波数成分の合計を算出する。そして、偏摩耗度合い判定部１９４は、得られた合計を基準データ記憶部１８４の記憶する基準データに適用して、判定対象毎に偏摩耗量を取得する。
【００８７】
例えば、判定対象が台車の場合、偏摩耗度合い判定部１９４は、台車に設置されている全車輪の偏摩耗量の合計を取得するなど、各車輪について総合的な偏摩耗度合いの判定を行う。
ステップＳ１０６の後、図１４の処理を終了する。
【００８８】
図１５は、速度・通過タイミング判定部１９１が列車速度情報とタイミング情報とを取得する処理手順の例を示すフローチャートである。速度・通過タイミング判定部１９１は、図１４のステップＳ１０２において、図１５の処理を行う。
図１５の処理において、まず、速度仮算出部２９１が、図１４のステップＳ１０１で得られたデータにゼロ位相のバンドパスフィルタ（すなわち、遅れのないバンドパスフィルタ）を適用して、所定周波数範囲（例えば０．５ヘルツ〜５ヘルツ）の周波数成分を抽出する（ステップＳ２０１）。
【００８９】
そして、速度仮算出部２９１は、抽出した周波数成分に基づいて列車速度を算出する（ステップＳ２０２）。速度仮算出部２９１が取得する列車速度は、速度・通過タイミング判定部１９１が以下の処理を行うための仮の列車速度として用いられる。
次に、周波数範囲設定部２９２が、速度仮算出部２９１の算出した仮の列車速度に基づいて周波数範囲を設定する（ステップＳ２０３）具体的には、周波数範囲設定部２９２は、時間周波数範囲データ記憶部１８２の記憶する時間周波数範囲データから、仮の列車速度に応じた周波数範囲（図３の例では台車検出周波数または車軸検出周波数）を読み出して、周波数範囲成分抽出部２９３が周波数成分を抽出する周波数範囲として設定する。
そして、周波数範囲成分抽出部１９３は、図１４のステップＳ１０１で得られたデータにゼロ位相のバンドパスフィルタを適用して、ステップＳ２０３で周波数範囲設定部２９２が設定した周波数範囲の周波数成分を抽出する（ステップＳ２０４）。
【００９０】
次に、速度・通過タイミング判定部２９４は、周波数範囲成分抽出部２９３が抽出した周波数成分に基づいて、車両の所定箇所（例えば、台車の中心または車軸）が加速度ピックアップ１１１の位置を通過するタイミングを判定する（ステップＳ２０５）。
さらに、速度・通過タイミング判定部２９４は、ステップＳ２０５で得られたタイミング情報に基づいて、列車速度を算出する（ステップＳ２０６）。
ステップＳ２０６の後、図７の処理を終了する。
【００９１】
但し、速度・通過タイミング判定部１９１が列車速度情報やタイミング情報を取得する方法は、図１５の処理手順による方法に限らない。例えば、速度・通過タイミング判定部１９１が、線路に設けられたセンサを用いて列車の通過タイミングを検出し、通過タイミングに基づいて列車速度情報やタイミング情報を取得するようにしてもよい。
【００９２】
一方、速度・通過タイミング判定部１９１が、図１５の処理手順による方法で列車速度情報やタイミング情報を取得する場合、車輪偏摩耗度合い判定システム１００は、センサとして加速度ピックアップ１１１のみを具備すればよい。加速度ピックアップ１１１は、図２を参照して説明したように、線路外に設置することができる。この点において、車輪偏摩耗度合い判定システム１００はメンテナンス性がよく、保守作業の負担の増大を抑制することができる。
【００９３】
以上のように、振動測定部１１０は、車両の通過に伴う線路構造物の振動を測定し、周波数範囲成分抽出部１９３は、振動測定部１１０が測定した振動から特定周波数範囲の周波数成分を抽出する。そして、偏摩耗度合い判定部１９４は、周波数範囲成分抽出部１９３が抽出した周波数成分に基づいて前記車両の車輪の偏摩耗度合いの判定を行う。
このように、車輪偏摩耗度合い判定システム１００は、車両の通過に伴う線路構造物の振動に基づいて車輪の偏摩耗度合いの判定を行うので、周囲の騒音が大きいなど列車の走行音の識別が困難な環境下においても、車輪の偏摩耗度合いの判定を行うことができる。
【００９４】
また、周波数範囲成分抽出部１９３は、振動測定部１１０が測定した振動から、車両の速度に応じて設定された特定周波数範囲の周波数成分を抽出する。
このように、周波数範囲成分抽出部１９３が、車両の速度に応じた特定周波数範囲の周波数成分を抽出することで、振動測定部１１０が測定した振動（加速度の時系列データ）から、偏摩耗の影響を受け易い周波数範囲の周波数成分を抽出することができる。これにより、車輪偏摩耗度合い判定システム１００（偏摩耗度合い判定部１９４）が行う車輪の偏摩耗度合いの判定の精度を高め得る。
また、周波数範囲成分抽出部１９３が、車両の速度に応じた特定周波数範囲の周波数成分を抽出するので、車輪偏摩耗度合い判定システム１００のユーザは、線路構造物の特性を把握する必要がない。
【００９５】
また、周波数範囲設定部１９２は、予め設定された空間周波数範囲に車両の速度を乗算して得られる特定周波数範囲を設定する。
このように、車輪偏摩耗度合い判定システム１００では、所定の空間周波数範囲に車両の速度を乗算するという簡単な計算にて、振動測定部１１０が測定した振動から周波数範囲成分抽出部１９３が周波数成分を抽出する周波数範囲を得ることができる。従って、車輪偏摩耗度合い判定システム１００のユーザが当該周波数範囲を算出して車輪偏摩耗度合い判定システム１００に設定する（周波数範囲変換データ記憶部１８３に記憶させる）作業の負荷が軽い。この点において、車輪偏摩耗度合い判定システム１００のユーザの負担を抑制することができる。
あるいは、周波数範囲設定部１９２が当該周波数範囲を算出するようにしてもよい。この場合、周波数範囲設定部１９２は、簡単な計算で当該周波数範囲を算出することができる。この点において、周波数範囲設定部１９２の負荷の増大を回避することができる。
【００９６】
なお、制御部１９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９７】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００９８】
１００  車輪偏摩耗度合い判定システム
１１０  振動測定部
１１１  加速度ピックアップ
１２０  結果出力部
１８０  記憶部
１８１  加速度データ記憶部
１８２  時間周波数範囲データ記憶部
１８３  周波数範囲変換データ記憶部
１８４  基準データ記憶部
１９０  制御部
１９１  速度・通過タイミング判定部
１９２  周波数範囲設定部
１９３  周波数範囲成分抽出部
１９４  偏摩耗度合い判定部
【図１】
2014237348.tif 000003
【図２】
2014237348.tif 000004
【図３】
2014237348.tif 000005
【図４】
2014237348.tif 000006
【図５】
2014237348.tif 000007
【図６】
2014237348.tif 000008
【図７】
2014237348.tif 000009
【図８】
2014237348.tif 000010
【図９】
2014237348.tif 000011
【図１０】
2014237348.tif 000012
【図１１】
2014237348.tif 000013
【図１２】
2014237348.tif 000014
【図１３】
2014237348.tif 000015
【図１４】
2014237348.tif 000016
【図１５】
2014237348.tif 000017